(57)【特許請求の範囲】
【請求項１】
容器の口元へキャップを緊密に取り付けた後、あらかじめキャップ天面に当接する端縁部に易引裂手段を設けた熱収縮性の円筒状の被覆部材を、キャップ天面部から容器首部まで外装し、加熱により該被覆部材を収縮させて前記キャップ天面から容器首部までの外周を一体的に被覆して、前記被覆部材の端縁部をキャップ天面へ密着させると共に、該端縁部において加熱による前記被覆部材の収縮緊張によって、前記易引裂手段による開口を形成させ、
前記被覆部材の収縮緊張によって開口を形成された前記容器は、搬送手段により移動されて、
前記キャップ天面の被覆部材を前記搬送手段において、前記容器の上方に対設させた熱源により該容器の移動途中において再加熱し、該熱源に隣接させた押圧手段により該容器の移動途中において前記熱源による加熱部を押圧させたことを特徴とする容器キャップの被覆体取付方法。
【発明の詳細な説明】
【０００１】
【産業上の利用分野】
本発明は、内容物が充填された容器のキャップ部に設けた被覆部材を、そのキャップ天面において確実に密着させることができる容器キャップの被覆体取付方法に関する。
【０００２】
【従来の技術】
内容物が充填され一旦施蓋された容器には、需要者の手に渡るまでの流通の間は、このキャップが全く開けられていない（例えば、いたずらによって開封され異物の混入後再施蓋されていない。）目安の表示が必要で、一般的には、図７に示すように、キャップ５０と容器５１の首部５２とをシュリンクフィルム５３により外装してある。
【０００３】
したがって、キャップ５０の開封は、このシュリンクフィルム５３を剥さない限りできないもので、シュリンクフィルム５３が正常に外装されていれば、外観から開栓されていない容器５１であることが確認できる。
【０００４】
一方、このシュリンクフィルム５３は、キャップ５０の開封時は容易に取り外しできるものではならないため、その一つの手段として、図７に示すように、キャップ５０の天部に位置するシュリンクフィルム５３周縁部につまみ状のタブ５４を付設して、このタブ５４を引っ張ることで簡単に引き裂くことができる工夫がなされている。
【０００５】
しかしながら、このシュリンクフィルム５３形態は、容器５１へ装着するときは、長尺に形成されたシュリンクフィルム５３を所定寸法にカットするときに、図８に示すように、前記したタブ５４の凸状形状を形成しなければならず、この余分な切断装置が複雑で高価となる。
【０００６】
また、このタブ５４の凸状形状はこの形状に相応して、図７（ａ）および図８に示すように、フィルム５３の下部に凹状形状５４ａが残るため、外観上の体裁が悪く商品価値を低下させる。
【０００７】
特に、この凸状形状のタブ５４は、フィルム５３を熱収縮させると、該タブ５４が、図７（ｂ）に示すように、上方へ反り返り、キャップ５０の天面から大きく立ち上がってしまうので、容器５１の運搬時に、この反り返ったタブ５４へ誤って他物が掛かり、該フィルム５３が剥れてしまう事故を生ずる。
【０００８】
更に、タブ５４に立ち上がりを生ずることで、外観上の体裁を落とすと共に、需要者には、すでにフィルム５３剥がしがなされたような印象を与えて商品価値を低下させる。等の様々な問題点を有するものであった。
【０００９】
【発明が解決しようとする課題】
本発明は、前記した問題点を解決するためになされたもので、容器の口元へキャップを緊密に取り付けた後、キャップ天面に当接する端縁部へ、一箇所または複数箇所に所定深さの易引裂手段を設けた熱収縮性の被覆部材により、キャップ天面から容器首部までの外周を一体的に被覆することにより、被覆部材の引き剥しの手段を簡単かつ安価に形成できて、しかも、外観上の体裁を低下させることのない容器キャップの被覆体取付方法を提供することを目的としている。
【００１０】
【課題を解決するための手段】
前記した目的を達成するための本発明は、
容器の口元へキャップを緊密に取り付けた後、あらかじめキャップ天面に当接する端縁部に易引裂手段を設けた熱収縮性の円筒状の被覆部材を、キャップ天面部から容器首部まで外装し、加熱により該被覆部材を収縮させて前記キャップ天面から容器首部までの外周を一体的に被覆して、前記被覆部材の端縁部をキャップ天面へ密着させると共に、該端縁部において加熱による前記被覆部材の収縮緊張によって、前記易引裂手段による開口を形成させ、
前記被覆部材の収縮緊張によって開口を形成された前記容器は、搬送手段により移動されて、
前記キャップ天面の被覆部材を前記搬送手段において、前記容器の上方に対設させた熱源により該容器の移動途中において再加熱し、該熱源に隣接させた押圧手段により該容器の移動途中において前記熱源による加熱部を押圧させた容器キャップの被覆体取付方法にある。
【００１１】
【実施例】
次に、本発明に関する容器キャップの被覆体取付方法の一実施例を図面に基づいて説明する。
【００１２】
図１〜図３においてＡは容器キャップの被覆体で、内容物が充填された容器１の口元へ、スクリュー式や打栓式のキャップ２を緊密に取り付けた後、熱収縮性の被覆部材３によりキャップ天面２ａから容器首部１ａまでの外側全周を一体的に被覆するもので、キャップ２が流通過程において開封されていないことを表示する。
【００１３】
そして、被覆部材３におけるキャップ天面２ａに当接する端縁部へ、一箇所または複数箇所に所定深さの易引裂手段４が設けられている。
【００１４】
この被覆部材３は、図４に示すように、円筒状等（内部の空洞部が拡開できれば円形以外でもよい。）に形成された熱収縮性の合成樹脂製フィルムが用いられるもので、一連の長尺状に形成されていて、キャップ２および容器首部１ａに被着されるときは、キャップ天面２ａから容器首部１ａまでの長さに見合う寸法に切断される。
【００１５】
また、前記した易引裂手段４は、被覆部材３における一側端縁部３ａに切り込みを設けることでなされるものであって、図４（ａ）に示すように、一箇所に、または、図４（ｂ）に示すように、所定間隔で二箇所に、あるいは、図４（ｃ）に示すように、多数箇所に設けるもので、被覆部材３の引き剥しに際して、その操作性等が良好となる同図に示す構成が好ましいものであり、複数箇所となる該易引裂手段４は円周方向において対称的に配設される。
【００１６】
この切り込みの形成は、慣用のカッタ装置（図示せず）によって行なわれるもので、被覆部材３を所定寸法に切断する際に同時成形させることができる。
【００１７】
易引裂手段４である切り込みの深さｈは、図１および図３に示すように、キャップ２の天面２ａへこの被覆部材３の一端部が熱収縮により係合したとき、その熱収縮の緊張によって、易引裂手段４が、被覆部材３における端縁部３ａ内周部に開口４ａが形成され、これによって引裂片５が得られる寸法であって、該深さｈは任意に選択できるものであるが、キャップ天面２ａ上に納まる寸法が好ましい。
【００１８】
なお、被覆部材３においてこの易引裂手段４の内端側の近傍または、該内端側と連続してミシン目６を軸方向に一箇所または複数箇所に穿設することで、このミシン目６に案内されて、被覆部材３の引裂動作が助長される。
【００１９】
したがって、この例による本発明実施例の容器キャップの被覆体取付方法は、以下に述べる作用を奏する。
【００２０】
被覆体Ａとなる被覆部材３は、例えば、図４（ｃ）に示すものを選択して、施蓋済の内容物充填容器１に対して、キャップ２の外周から易引裂手段４が施されている端部を上向きにして挿嵌し、容器１の首部１ａの所定位置において被覆部材３が、その下縁が首部１ａに当接する等の手段によって位置付けられる。
【００２１】
このとき、被覆部材３において易引裂手段４が施された端縁部３ａは、キャップ２の天面２ａより突出された状態にセットされる。
【００２２】
そして、ヒータや熱風発生機等の熱源により該被覆部材３を加熱すると、この断面略円形の被覆部材３はその求心方向へ向かって収縮を始める。
【００２３】
そのため、キャップ２の外周部および容器首部１ａに対応する被覆部材３は、これらキャップ２の外周部および容器首部１ａ面へ密着し、また、キャップ２の天面２ａ部では、図２において仮想線で示すように、被覆部材３の端縁部３ａにかかる求心力によってキャップ２の上側周縁部２ｂから折れ曲がり、更に収縮が進行すると、ついには、図２において実線で示すように、該端縁部３ａがキャップ２の天面２ａに密着する。
【００２４】
また、被覆部材３の端縁部３ａに設けた易引裂手段４は、該端縁部３ａが求心方向へ熱収縮するに連れて、その収縮力により切れ目状態からその切れ目始端部より徐々に開き始め、図１および図３に示すように、略Ｖの字状の開口４ａが形成される。
【００２５】
そのため、開栓するための、被覆部材３の取り外しに際して、この開口４ａへ指先や爪等を掛けて端縁部３ａを引き剥けば、易引裂手段４に沿って被覆部材３が引き裂かれてキャップ２および容器首部１ａから剥れるもので、該略Ｖの字状の開口４ａが、いわゆるノッチ作用をして引き裂きの案内となる。
【００２６】
このとき、易引裂手段４を複数箇所に設けた被覆部材３は、該一対の易引裂手段４の間に、つまみ状の引裂片５が形成されるので、指先や爪等が掛けやすくなると共に、被覆部材３の引き剥ぎが二条に進行し、どちらか一条が優先して引き剥ぎされ、一層、被覆部材３の取り外しが容易でかつ確実となる。
【００２７】
次に、他の例による本発明実施例の容器キャップの被覆体取付方法に付いて述べる。
【００２８】
この方法に用いられる容器キャップの被覆体Ａは、前記した実施例による被覆体Ａが採用されるもので、被覆部材３を熱収縮させたときの端縁部３ａのキャップ天面２ａへの確実な密着を行なわせる。
【００２９】
その手段は、キャップ天面２ａの被覆部材３における端縁部３ａを再加熱しつつ、押圧させ、キャップ天面２ａに端縁部３ａを密着馴染ませることにある。
その一つの例は、図５に示すように、熱源１０によって再加熱された被覆部材３は軟化するもので、押圧手段１１により所定圧でキャップ天面２ａを押し付けることでなされるものであって、被覆部材３が外装された容器１は、ベルトコンベア等の搬送手段１２によって一方向へ所定速度で移送されている。
【００３０】
そして、主熱源１２により熱収縮された容器１の被覆部材３は、その上方に対設させた熱源１０により再加熱され、搬送手段１２の駆動によって該熱源１０に隣設させた押圧手段１１へ移動される。
【００３１】
この押圧手段１１は、一対のローラ１３，１４にベルト１５を張設して、このベルト１５を搬送手段１２と同期走行させる駆動モータ１６によって駆動させるものであり、該ベルト１５の背面にはクッション材付きローラ１７を複数個対応させてある。
【００３２】
したがって、押圧手段１１に達した容器１の被覆部材３は、その端縁部３ａがローラ１７とベルト１５との協動により、キャップ天面２ａへ所定圧で押し付けられるので、キャップ天面２ａに馴染むと共に、この押圧と同時に、該押圧手段１１に付設した冷気圧送部材等の冷却手段１８により被覆部材３の端縁部３ａが冷却される。
【００３３】
この冷却に伴って、被覆部材３の端縁部３ａは、キャップ天面２ａ形状に成形された状態に保持される。
【００３４】
この方法は、キャップ天面２ａが平坦状のものはもちろんのこと、図６（ａ）に示す凸状形状や、図６（ｂ）に示すように、凹状形状のキャップ天面２ａの場合でも確実な、端縁部３ａのキャップ天面２ａへの密着性が得られる。
【００３５】
更に、この方法の実施にあっては、主たる工程の被覆部材３の容器１，キャップ２への装着工程において一連的に行なってもよく、例えば、主熱源１２内へ押圧手段１１を内蔵した構成等が挙げられる。
【００３６】
なお、前記した冷却手段１８は、少なくとも、ベルト１５の戻り側を冷却することで、被覆部材３からの転熱によって生ずる端縁部３ａの成形力低下を防止する。
【００３７】
また、この方法による、被覆部材３を熱収縮させたときの、端縁部３ａのキャップ天面２ａを再加熱しつつ押圧して、端縁部３ａのキャップ天面２ａへの確実な密着を行なわせる方法は、被覆部材３の端縁部３ａに設けられた引裂片５が、本発明実施例における易引裂手段４の形態に限定されるものではなく、任意形状の引裂片５に対応できることはもちろんのことで、例えば、図７に示すような、タブ５４であっても良好な作用・効果を発揮するもので、その加工を行なう装置としては、例えば、図５に示すような、熱源１０，搬送手段１２，押圧手段１１，冷却手段１８等を有する構成が利用できる。
【００３８】
【発明の効果】
前述のように構成される本発明は、容器の口元へキャップを緊密に取り付けた後、熱収縮性の被覆部材によりキャップ天面から容器首部までの外周を一体的に被覆する容器キャップの被覆体にあって、前記被覆部材におけるキャップ天面に当接する端縁部へ、一箇所または複数箇所に所定深さの易引裂手段を設けることにより、この易引裂手段によって形成された開口へ容易に指先や爪が掛かって、被覆部材に引き剥しを簡単に行なうことができる。
【００３９】
キャップと容器首部とに外装した被覆部材のキャップ天面への密着性を大幅に向上させることができて、端縁部の突出に起因してこれに当たる等の誤動作による被覆部材の引き剥しが未然に防止されると共に、突出しないキャップ天面に密着する被覆部材は、外観の体裁が良好となって商品価値を高騰させる。
キャップ天面の被覆部材を再加熱し押圧させることで、該被覆部材のキャップ天面への密着性が一層向上する。等の格別な効果を奏する。
【図面の簡単な説明】
【図１】本発明に関する容器キャップの被覆体取付方法を採用する一実施例の容器キャップの被覆体を示す斜視図である。
【図２】図１における被覆部材を縦断して示す正面図である。
【図３】図１における平面図である。
【図４】図１における容器キャップの被覆体に使用する被覆部材の易引裂手段の各例を示す斜視図である。
【図５】図１における容器キャップの被覆体の再加熱および押圧した例を示す説明図である。
【図６】図５における工程の作動状態を示す各キャップ形態例を示す説明図である。
【図７】従来の容器キャップにシュリンクフィルムを施した例を示すもので、（ａ）は斜視図を、（ｂ）は断面図をそれぞれ示す。
【図８】図７において使用するシュリンクフィルムを示す斜視図である。
【符号の説明】
Ａ      容器キャップの被覆体
１      容器
１ａ    容器首部
２      キャップ
２ａ    キャップ天面
３      被覆部材
３ａ    端縁部
４      易引裂手段
４ａ    開口
【図１】
0003547939.tif 000002
【図２】
0003547939.tif 000003
【図３】
0003547939.tif 000004
【図４】
0003547939.tif 000005
【図５】
0003547939.tif 000006
【図６】
0003547939.tif 000007
【図７】
0003547939.tif 000008
【図８】
0003547939.tif 000009